(57)【要約】      （修正有）【課題】既存の植木鉢に簡単に設置して植木鉢に供給された水の水位を容易に確認して、栽培植物に従って水の水位を容易に調節できるようにして栽培植物を最適の状態で栽培することができるようにする植木鉢用水位表示装置を提供する。【解決手段】植木鉢１の内部にユー(Ｕ)字袋形状のビニル膜及び漏斗形状のメッシュ水中せきが配置して、植木鉢の底面中央に形成された連通路に透明な材質でなされた水位表示及び調節用配水管９の一側端を連結する。又、植木鉢の内部底に水貯蔵空間を提供するように中が空いていて上部に複数の透水孔が形成された複数のスペーサ構造物らを配置し、透明な材質で製造された水位表示管の一部分は前記植木鉢内に配置し、他の部分は前記植木鉢の外部に延長させる。【選択図】図４
2015077128.tif 000002
【特許請求の範囲】
【請求項１】
植木鉢１内に収容されて、底面中央には連通路５が形成されているユー(Ｕ)字袋形状のビニル膜４と、
前記ビニル膜４の内部に安着されるメッシュ水中せき７と、及び
前記メッシュ水中せき７の下部外面と前記植木鉢１の内部底面との間に造成される水貯蔵部８と連通して、透明な材質で形成されて、前記水貯蔵部８に貯蔵される水の量を前記植木鉢１の外部で観察できるようにするための水位表示及び調節用配水管９と、を含むことを特徴とする植木鉢用水位表示装置。
【請求項２】
前記植木鉢１の底面には排水口３が貫通して形成されて、前記排水口３には前記水位表示及び調節用配水管９の一端部が挿入されて締結バンド６によって固定されて、前記ビニル膜４の連通路５下部は前記排水口３内で前記水位表示及び調節用配水管９の一端部内側に挟まれることを特徴とする請求項１に記載の植木鉢用水位表示装置。
【請求項３】
前記水位表示及び調節用配水管９は相対的に直径が小さな部分と大きい部分で分けられていて、それぞれの連結部品両端にお互いに対応するように形成された係止部１０、１０‘によって一体で差込結合されて、これによって前記水位表示及び調節用配水管９の一部分は前記係止部１０、１０'を中心に一定角度範囲に回動することができることを特徴とする請求項１または２に記載の植木鉢用水位表示装置。
【請求項４】
植木鉢用水位表示装置であり、
植木鉢３０の内部底に配置されて、水貯蔵空間を提供するように中が空いているし、上部に複数の透水孔１２が形成された複数のスペーサ構造物ら１０-前記スペーサ構造物ら１０の下部は下方向に開放されていて、前記スペーサ構造物１０の上部と複数の側壁らは閉鎖された形態で一体でなされて、一つのスペーサ構造物が他のスペーサ構造物と連接するように一つのスペーサ構造物の側壁が他のスペーサ構造物の側壁と突き合わせてお互いに支持するように配置されること-と、及び
一部分は前記植木鉢３０内に配置されて、他の部分は前記植木鉢３０の外部に延長されて、透明な材質でなされた水位表示管２０と、
を含むことを特徴とする植木鉢用水位表示装置。
【発明の詳細な説明】
【技術分野】
【０００１】
本発明は、植木鉢に使用することができる水位表示装置に関するものであり、より詳細には、植木鉢に簡単に設置して植木鉢に供給された水の水位を容易に確認することができるようにするし、栽培植物の特性によって水の水位を容易に調節し、植物を最適の状態で栽培して既存の植木鉢を機能性植木鉢で再使用することができるようにする植木鉢用水位表示装置に関するものである。
【背景技術】
【０００２】
最近、屋上などの狭い空間に畑を造成する場合、多くの費用と土による荷重問題を解決するために人工土壌や植木鉢を使っている。しかし、人工土壌を頻りに入れ替ってくれなければならない不便があって、既存植木鉢底面の排水口を通じて肥料と共に大部分の水が排出され、水損失が多くなって水を頻りに与えなければならない不便があった。
【０００３】
水が流れて捨てられるようになる問題点と水を頻りに与えなければならない不便及び時間節約のために、植木鉢底面の排水口を塞いで人工土壌を使用するか、または２段植木鉢を作って下端部には水を、上端部には培養土に作物を植えて芯で吸収供給するか、または水の量を確認するために透明容器を使用するなど多くの方法が出ている。ところが、２段植木鉢は芯を通じて水を吸収するので、水が十分に供給されることができずに、透明容器は水が日の光に露出されて腐敗される問題点がある。
【０００４】
これを勘案して本出願人が先出願して登録された大韓民国特許登録第１０-１３６７７２１号では底面が塞がれた栽培容器内部に水貯蔵空間を形成し、これを透明材質で形成されて水の水位を観察することができる水位調節排水口と連通されるように連結することで水を持続的に貯蔵することができるし、透明である水位調節排水口を通じて栽培容器の外で易しく水位を確認できるようにした。しかし、これは底面が塞がれている別途の栽培容器を具備するか、または既存の植木鉢を使用する場合底面の排水口を確かで完璧に塞いでくれなければならない不便がよって、使用中に底面排水口が漏れる場合に水が貯蔵されなくて結局、水貯蔵と水位表示機能が消失されて従来のような状態になる問題点があった。
【発明の概要】
【発明が解決しようとする課題】
【０００５】
本発明が解決しようとする技術的課題は、既存の植木鉢にも簡便に設置して植木鉢に適量の水を維持して外部で容易に植木鉢の水位を確認して適切な時期に水を供給して、栽培植物に従って貯蔵された水の量を調節できるようにして植木鉢の植物を最適の状態で栽培することができる機能性植木鉢を提供しようとするものである。
【課題を解決するための手段】
【０００６】
前述したような本発明の技術的課題を解決するために、本発明の第１の実施様態によれば、本発明は、
植木鉢内に収容されて、底面中央には連通路が形成されているユー(Ｕ)字袋形状のビニル膜と、
前記ビニル膜の内部に安着される漏斗形状のメッシュ水中せき（weir）と、及び
前記メッシュ水中せきの下部外面と前記植木鉢の内部底面の間に造成される水貯蔵部と連通して、透明な材質で形成されて、前記水貯蔵部に貯蔵される水の量を前記植木鉢の外部で観察できるようにするための水位表示及び調節用配水管と、を含むことを特徴とする植木鉢用水位表示装置を提供する。
【０００７】
前記植木鉢の底面には排水口が貫通して形成され、前記排水口には前記水位表示及び調節用配水管の一端部が挿入されて締結バンドによって固定される。前記ビニル膜の連通路下部は前記排水口内で前記水位表示及び調節用配水管の一端部内側に挟まれる。
【０００８】
前記水位表示及び調節用配水管は、相対的に直径が小さな部分と大きい部分で分けられており、それぞれの連結部品両端でお互いに対応するように形成された係止部によって一体で差込結合されて、これによって前記水位表示及び調節用配水管の一部分は前記係止部を中心に一定角度範囲で回動することができる。
【０００９】
これとは異なり、本発明の第２の実施様態によれば、本発明は、植木鉢用水位表示装置として、
植木鉢の内部底に配置され、水貯蔵空間を提供するように中が空いているし、上部に複数の透水孔が形成された複数のスペーサ構造物ら-前記スペーサ構造物らの下部は下方向で開放されており、前記スペーサ構造物の上部と複数の側壁らは閉鎖された形態で一体でなされて、一つのスペーサ構造物が他のスペーサ構造物と連接するように一つのスペーサ構造物の側壁が他のスペーサ構造物の側壁と突き合わせてお互いに支持するように配置されること-と、及び
一部分は前記植木鉢内に配置され、他の部分は前記植木鉢の外部に延長され、透明な材質でなされた水位表示管と、を含むことを特徴とする植木鉢用水位表示装置を提供する。
【発明の効果】
【００１０】
本発明によれば、既存の植木鉢にユー(Ｕ)字袋形状のビニル膜を挿入安置させ、植木鉢底に形成した排水口に水位表示及び調節用配水管を連結して水位表示及び調節機能を付け加えることができる。これとは異なり、水貯蔵空間を提供するように中が空いているし上部に複数の透水孔が形成された複数のスペーサ構造物を植木鉢の内部底に配置し、植木鉢の側壁下部に形成された貫通孔を通じて一部分が外部に延長される透明な材質の水位表示管を配置することで、既存の植木鉢にも容易に設置して使用することができるし、水位表示機能を提供して使用者にとっていつも適切な量の水を植木鉢に与えることができるようにして、植物の養育を最適の状態で維持することができる効果がある。
【図面の簡単な説明】
【００１１】
【図１】本発明の望ましい第１実施例による水位表示装置が適用された植木鉢の分解斜視図である。
【図２】図１に示された植木鉢の結合状態図である。
【図３】図２に示された植木鉢の縦断面図及び部分拡大断面図である。
【図４】本発明の望ましい第１実施例による水位表示装置が適用された植木鉢の使用状態断面図である。
【図５】本発明の望ましい第１実施例による水位表示装置の水位表示及び調節用配水管で水位を調節する状態図である。
【図６】本発明の望ましい第２実施例による水位表示装置が適用された植木鉢の使用状態断面図である。
【図７】図６に示された植木鉢用スペーサ構造物の斜視図である。
【図８】植木鉢内に本発明の望ましい第２実施例による水位表示装置が適用された状態を示した平面図である。
【図９】本発明の望ましい第２実施例による水位表示装置が適用された植木鉢を多数個連結した使用状態図である。
【発明を実施するための形態】
【００１２】
以下、添付図面らを参照して本発明の望ましい実施例らによる植木鉢用水位表示装置を詳しく説明すれば次のようである。
【００１３】
先ず、図１乃至図５には本発明の望ましい第１実施例による水位表示装置及びこれを採用した植木鉢が示されている。
【００１４】
図１乃至図５を参照すれば、本発明の望ましい第１実施例による水位表示装置は、植木鉢１内に収容されるユー(Ｕ)字袋形状のビニル膜４、該ビニル膜４の内部に安着される漏斗形状のメッシュ水中せき７を含む。ビニル膜４の底面中央には連通路５が形成されるが、これはビニル膜４の底面中央を穿孔して穿孔された周縁部を外部に突き出させて形成する。
【００１５】
一方、植木鉢１の底面には排水口３が貫通して形成されて、ここに透明な材質で形成された水位表示及び調節用配水管９の一端部を挟んだ状態で締結バンド６で連結させる。前記ビニル膜４の連通路５下部は、前記排水口３内で水位表示及び調節用配水管９の一端部内側に挟まれる。この時、水位表示及び調節用配水管９は相対的に直径が小さな部分と大きい部分で分けられているが、それぞれの連結部位両端に図３に示したようにお互いに対応する係止部１０、１０‘を形成して一体で差込結合される。その結果、水位表示及び調節用配水管９の相対的に直径が大きい部分、すなわち、垂直な部分を含む“エル(Ｌ)“字形状の部分が係止部１０、１０'を中心に一定角度範囲で回動することができる。
【００１６】
一方、漏斗形状のメッシュ水中せき７をユー(Ｕ)字袋形状のビニル膜４内部に安着させ、メッシュ水中せき７下部外面と植木鉢１の内部底面との間に水貯蔵部８を形成させる。
【００１７】
このように構成された本発明の望ましい第１実施例による水位表示装置を既存の植木鉢１に設置する場合、植木鉢１に栽培しようとする植物を植えた後に水を与えるようになれば、メッシュ水中せき７下部に形成された水貯蔵部８に水が貯蔵されて、この貯蔵された水の水位は水位表示及び調節用配水管９を通じて使用者が外部で肉眼で容易に水の水位が分かるようになる。
【００１８】
植物に従って水の水位調節が必要な場合には外部で図５に示されたように水位表示及び調節用配水管９を回動させれば、係止部１０、１０'で連結された水位表示及び調節用配水管９の他側端が回動されて水貯蔵部８の水位より低く位置させるようになる。この状態になれば、水が排水されて水位を植物に従って容易に調節することができるようになるものである。
【００１９】
結論的に、底面に排水口３が穿孔された既存の植木鉢１にそのまま適用して使用することができるので、既存の植木鉢１に水位表示及び水位調節機能を付け加えて使用することができるものである。
【００２０】
一方、本発明の望ましい第１実施例では植木鉢１の底面に通孔を穿孔して連通路５を形成したが、これとは異なり植木鉢１に底面が塞がれた場合には、植木鉢１の下部側壁一側に通孔を穿孔し、これに対応してユー(Ｕ)字袋形状のビニル膜４の下部一側を穿孔して連通路を形成した状態で水位表示及び調節用配水管９の一側端をここに連結して使用することもできることを該当技術分野の熟練された当業者は容易に理解することができるであろう。
【００２１】
次に、図６乃至図９には本発明の望ましい第２実施例による水位表示装置及びこれを採用した植木鉢が示されている。本発明の望ましい第２実施例によれば、前記第１実施例でメッシュ型水中せきを植木鉢大きさごとにオーダーメード型で製作しなければならない不便を減らすために、小型メッシュ型水中せきを作って植木鉢の大きさによって適当な個数を配置して使用するものである。
【００２２】
図６乃至図９を参照すれば、本発明の望ましい第２実施例による水位表示装置は、主に植木鉢用スペーサ構造物１１及び水位表示管２０を含む。望ましくは、植木鉢用スペーサ構造物１１はプラスチックを射出成形して製造される。これとは異なり、植木鉢用スペーサ構造物１１は金属やセラミックスでも製造されることができる。望ましくは、植木鉢用スペーサ構造物１１は六角柱の形状を有する。これとは異なり、植木鉢用スペーサ構造物１１は円筒状、三角柱、四角柱、五角柱などの多角形状を有することもできる。
【００２３】
図７に示されたように、スペーサ構造物１１は中が空いていて下部は下方向に開放されているし、上部と複数の側壁らは閉鎖された形態で一体でなされる。スペーサ構造物１１の上部と側壁らには複数の透水孔１２が形成される。透水孔１２は多様な形態で穿孔されることができる。
【００２４】
このようなスペーサ構造物１１は植木鉢３０内部底で配置されるが、一つのスペーサ構造物が他のスペーサ構造物と連接する形態で多数個が配置される。すなわち、一スペーサ構造物１１の側壁が他のスペーサ構造物１１の側壁と突き合わせてお互いに支持するように配置される。これとは異なり、一スペーサ構造物１１は開放された下部が下に向けるように配置し、水のみを収容して他のスペーサ構造物１１は覆して配置し、土と水を共に収容できるようにすることもできる。このように配置されたスペーサ構造物ら１１の内部が空いているために、スペーサ構造物ら１１によって水を貯蔵することができる水貯蔵空間が植木鉢３０下部に備えられるものである。
【００２５】
一方、植木鉢３０の側壁３２下部には貫通孔３４が形成される。貫通孔３４には植木鉢３０に供給された水の高さ、すなわち、水位を観察することができるようにするための水位表示管２０が挿入されて配置される。水位表示管２０は透明な材質で製造される。水位表示管２０は植木鉢３０の内部底上で底壁３６に平行に水平で延長された水平部分２２と前記水平部分２２の末端で垂直に上方向に延長された垂直部分２４でなされる。前記水平部分２２の一側は前記貫通孔３４を通じて植木鉢３０の外部に延長され、前記垂直部分２４は植木鉢３０の側壁３２に沿って垂直方向で上方向延長される。植木鉢３０に供給されて植木鉢内の土壌を経って植木鉢３０の下部に集まる水は水位表示管２０が空いているので、植木鉢３０に満たされる高さ程度が満たされる。
【００２６】
このように構成された本発明の望ましい第２実施例による植木鉢用水位表示装置の構造と機能に対して手短に説明する。
【００２７】
植木鉢３０に栽培しようとする植物を植えた後に水を与えるようになれば、本発明によるスペーサ構造物１１内に備えられた空間に水が貯蔵されて、この貯蔵された水の水位は水位表示管２０を通じて外部で容易に水の水位が分かるようになるものである。水が植木鉢３０に相対的にたくさん供給されれば、水位表示管２０の垂直部分２４にも水が上がって使用者が水の水位が分かるようになるものである。使用者は水位表示管２０を肉眼で観察しながら植物に従って適正な水位が維持できるように水供給量を調節することができる。
【００２８】
一方、いくつかの植木鉢を使って植物を栽培しようとする場合には、図９に示したように植木鉢用水位表示装置を具備した複数の植木鉢を配列し、これらの間に給水通路４０を延長配置させることで、多数個の植木鉢に対する水位観察及び水位調節を一括的に遂行することもできる。
【００２９】
前記では本発明の望ましい実施例を参照して説明したが、該当技術分野の熟練された当業者は下記の特許請求範囲に記載した本発明の思想及び領域から脱しない範囲内で本発明を多様に修正及び変更させることができることを理解することができるであろう。
【符号の説明】
【００３０】
１、３０  植木鉢
２  通孔
３  排水口
４  ビニル膜
５  連通路
６  締結バンド
７  メッシュ水中せき
８  水貯蔵部
９  水位表示及び調節用配水管
１０、１０'  係止部
１１  スペーサ構造物
１２  透水孔
２０  水位表示管
３２  側壁
３４  貫通孔
４０  給水通路
【図１】
2015077128.tif 000003
【図２】
2015077128.tif 000004
【図３】
2015077128.tif 000005
【図４】
2015077128.tif 000006
【図５】
2015077128.tif 000007
【図６】
2015077128.tif 000008
【図７】
2015077128.tif 000009
【図８】
2015077128.tif 000010
【図９】
2015077128.tif 000011